(57)【特許請求の範囲】
【請求項１】
ボディ外面に長手方向のスイッチ取付溝を有する流体圧機器と、上記スイッチ取付溝に沿って移動可能に装着されたホルダ及び位置検出スイッチと、上記ホルダと位置検出スイッチをスイッチ取付溝に固定するための取付ねじとを備えた流体圧機器におけるスイッチ取付機構において、
上記スイッチ取付溝が、上記位置検出スイッチが挿入可能な幅を有する開口と、その側壁に形成した上記開口より幅が広い一対の係止部とを備え、
上記位置検出スイッチが、係止肩部と、上記取付ねじが螺合するねじ孔とを備え、
上記ホルダが、柔軟性を有する合成樹脂で一体に形成された、長手方向に延びる一対の取付部材と、これらの取付部材の一端を連結する連結部材とを備え、
上記取付部材が、上記係止部に係止する溝係止部と、係止肩部に係止するスイッチ係止部と、背向する外面に形成した先端間の幅が上記開口の幅よりも狭い先すぼまりのテーパ面とを備え、
上記テーパ面によって開口からスイッチ取付溝内に押し入れられ、テーパ面の後端が開口を通ると弾性変形していた取付部材が元の状態に復元するホルダと、開口からスイッチ取付溝内に挿入される位置検出スイッチとを、上記取付ねじのねじ孔への螺合による係止部と溝係止部との係止及びスイッチ係止部と係止肩部との係止によってスイッチ取付溝の任意の位置に固定する、
ことを特徴とする流体圧機器におけるスイッチ取付機構。
【発明の詳細な説明】
【０００１】
【発明の属する技術分野】
本発明は、流体圧機器におけるスイッチ取付機構に関するものである。
【０００２】
【従来の技術】
流体圧シリンダやバルブ等の流体圧機器においては、ピストンや弁体等の移動位置を確認するために、これらの機器におけるボディの外面に長手方向のスイッチ取付溝を設けて、このスイッチ取付溝に、位置検出スイッチを該取付溝に沿って移動可能でかつ任意の位置に固定可能に取付ける場合がある。
【０００３】
上記スイッチ取付機構としては、例えば実開平３−９３６０７号公報に開示されているように、流体圧機器のボディの長手方向に形成したスイッチ取付溝の側壁にその開口より幅が広い係止部を、位置検出スイッチの幅方向両側に上記係止部に係止する係止肩部をそれぞれ設けて、この位置検出スイッチをスイッチ取付溝の長手方向の開口から挿入し、位置検出スイッチに設けたねじ孔に螺合した取付ねじの先端で該スイッチ取付溝の溝底を押圧することにより上記係止肩部と係止部とを係止させて、スイッチ取付溝の任意の位置に固定するものが知られている。
このスイッチ取付機構は、簡単な構成によってボディのスイッチ取付溝の全長の任意の位置にスイッチを取付けることができるが、スイッチ取付溝の長手方向の開口がボディに取付けた他の部材によって閉鎖されていたり、或いは設置場所が狭くてボディの長手方向にスイッチを挿入するためのスペースが確保できない場合には、上記部材を取り外したり、或いはボディ自体の固定を外したりしないと位置検出スイッチをスイッチ取付溝に着脱することができないので、位置検出スイッチのメンテナンスが面倒である。
【０００４】
この問題を解決するものとして、ホルダ（ワッシャ）を使用するスイッチ取付機構が、特開平８−７４８１２号公報に開示されている。
上記公報に開示された第１のスイッチ取付機構は、スイッチ取付溝内に予め位置検出スイッチを取付けるためのホルダを挿入しておき、スイッチ取付溝の開口を位置検出スイッチが挿入可能な幅として、この開口を通してスイッチ取付溝内に挿入した位置検出スイッチを、上記ホルダによってスイッチ取付溝の任意の位置に固定するものである。
このスイッチ取付機構は、位置検出スイッチを、スイッチ取付溝の開口を通してスイッチ取付溝に着脱できるので、スイッチ取付溝の長手方向の開口が他の部材で閉鎖されていたり、スイッチ取付溝の長手方向に位置検出スイッチの挿入スペースが確保できない場合であっても、上記部材を取り外すことなく位置検出スイッチをスイッチ取付溝に着脱することができる。
しかしながら、スイッチ取付溝に予めホルダを挿入しておく必要があるので、ホルダの挿入を忘れたり、或いはホルダが破損した場合には、スイッチ取付溝の長手方向の開口を閉鎖している部材を取り外す等の作業が必要になるので、ホルダの交換が面倒である。
【０００５】
また、上記公報に開示されている第２のスイッチ取付機構は、図６に示すように、適宜の流体圧機器のボディ１の外面に、長手方向に貫通するスイッチ取付溝２が形成されている。
このスイッチ取付溝２は、位置検出スイッチ３が挿入可能な幅を有する開口２ａと、その側壁に形成した上記開口より幅が広い一対の係止部２ｂ，２ｂと、長手方向一端のホルダ４が挿入可能な幅及び長さを有するホルダ挿入部２ｃとを備え、ホルダ挿入部２ｃからスイッチ取付溝２内に挿入されるホルダ４は、係止部２ｂに係止する溝係止部５ａと、位置検出スイッチ３の係止肩部３ａに係止するスイッチ係止部５ｂとを有する一対の取付部材５，５を、連結部材６によって連結したものとして構成されており、このホルダ４によって位置検出スイッチ３をスイッチ取付溝２に取付けるものである。
【０００６】
上記スイッチ取付機構は、ホルダ４をスイッチ取付溝２のホルダ挿入部２ｃから、位置検出スイッチ３をスイッチ取付溝２の開口２ａからそれぞれスイッチ取付溝２に挿入し、位置検出スイッチ３の係止肩部３ａとホルダ４のスイッチ係止部５ｂ、及びホルダ４の溝係止部５ａとスイッチ取付溝２の係止部２ａをそれぞれ対向させ、スイッチ取付溝２の開口２ａ及び連結部材６の貫通孔６ａを通して位置検出スイッチ３のねじ孔３ｂに取付ねじ７を螺入すると、取付ねじ７の先端がスイッチ取付溝２の溝底を押圧し、これによってこれらの係止部が係止するので、スイッチ取付溝２に位置検出スイッチ３を固定することができる。
このスイッチ取付機構は、位置検出スイッチ３及びホルダ４をスイッチ取付溝２の開口２ａ及びホルダ挿入部２ｃから挿入できるので、ボディ１の長手方向の両側にスイッチ取付溝２の長手方向の開口を閉鎖する部材８，８（図示の例はカバー）が取付けられていたり、或いは位置検出スイッチの挿入スペースが確保できない場合であっても、位置検出スイッチ３及びホルダ４をスイッチ取付溝２に着脱できるので、スイッチ３のメンテナンスが容易であり、またホルダ４が破損してもその交換も容易である。
しかしながら、スイッチ取付溝２の長手方向一端にホルダ挿入部２ｃを設けているためにスイッチ取付溝２の形成が面倒であり、またスイッチ取付溝２の全長の任意の位置に位置検出スイッチ３を固定することができない。
【０００７】
【発明が解決しようとする課題】
本発明が解決しようとする課題は、スイッチ取付溝の形成並びに位置検出スイッチ及びホルダのメンテナンスが容易で、しかも位置検出スイッチを、スイッチ取付溝の全長の任意の位置に固定することができる流体圧機器のスイッチ取付機構を提供することにある。
【０００８】
【課題を解決するための手段】
上記課題を解決するため、本発明の流体圧機器におけるスイッチ取付機構は、ボディ外面に長手方向のスイッチ取付溝を有する流体圧機器と、上記スイッチ取付溝に沿って移動可能に装着されたホルダ及び位置検出スイッチと、上記ホルダと位置検出スイッチをスイッチ取付溝に固定するための取付ねじとを備えた流体圧機器におけるスイッチ取付機構において、上記スイッチ取付溝が、上記位置検出スイッチが挿入可能な幅を有する開口と、その側壁に形成した上記開口より幅が広い一対の係止部とを備え、上記位置検出スイッチが、係止肩部と、上記取付ねじが螺合するねじ孔とを備え、上記ホルダが、柔軟性を有する合成樹脂で形成された長手方向に延びる一対の取付部材と、これらの取付部材の一端を連結する連結部材とを備え、上記取付部材が、上記係止部に係止する溝係止部と、係止肩部に係止するスイッチ係止部と、背向する外面に形成した先端間の幅が上記開口の幅よりも狭い先すぼまりのテーパ面とを備え、上記テーパ面によって開口からスイッチ取付溝内に押し入れられ、テーパ面の後端が開口を通ると弾性変形していた取付部材が元の状態に復元するホルダと、開口からスイッチ取付溝内に挿入される位置検出スイッチとを、上記取付ねじのねじ孔への螺合による係止部と溝係止部との係止及びスイッチ係止部と係止肩部との係止によってスイッチ取付溝の任意の位置に固定することを特徴としている。
【０００９】
【作用及び発明の効果】
スイッチ取付溝の開口に、ホルダの一対の取付部材の先端を挿入して押圧すると、取付部材が弾性変形してスイッチ取付溝内に押し入れられ、該取付溝内に押し入れられると復元して溝係止部が係止部に対向するので、スイッチ取付溝の開口から抜け出すことはなく、かつスイッチ取付溝に沿って任意の位置に移動させることができる。
この場合、一対の取付部材の背向する外面を、先端間の幅がスイッチ取付溝の開口幅より狭いテーパ面としたので、連結部材を柔軟性を有する合成樹脂で形成したことと相まってホルダのスイッチ取付溝への押し入れは極めて容易であり、予めホルダをスイッチ取付溝に挿入しておいたり、スイッチ取付溝にホルダ挿入部を設けたりする必要がない。
次いで、上記開口から位置検出スイッチをスイッチ取付溝に挿入して、その係止肩部とホルダのスイッチ係止部とを対向させる。
【００１０】
ホルダ及び位置検出スイッチをスイッチ取付溝の所望の位置に移動させ、取付ねじをスイッチ取付溝の開口を通して位置検出スイッチのねじ孔に螺入すると、取付ねじの先端がスイッチ取付溝の溝底を押圧することにより、位置検出スイッチの係止肩部とホルダのスイッチ係止部及びホルダの溝係止部とスイッチ取付溝の係止部が互いに係止するので、ホルダによって位置検出スイッチをスイッチ取付溝に固定することができる。
上記スイッチ取付溝にはホルダ挿入部がないのでその形成が容易であり、しかも位置検出スイッチをスイッチ取付溝の全長の任意の位置に固定することができる。
【００１１】
取付ねじによるスイッチ取付溝の溝底の押圧を解除すると、位置検出スイッチの係止肩部とホルダのスイッチ係止部との係止、及びホルダの溝係止部とスイッチ取付溝の係止部との係止が解除されるので、位置検出スイッチをホルダから抜き出し、さらにスイッチ取付溝の開口からボディ外に取り出すことができる。したがって、位置検出スイッチのメンテナンスが容易である。
ホルダが破損した場合は、破損したホルダをスイッチ取付溝の開口から取り出して、新たなホルダを上述の操作によりスイッチ取付溝に押し入れることができる。したがって、スイッチ取付溝の長手方向の開口がボディに取付けた他の部材によって閉鎖されていたり、スイッチの挿入スペースが確保できない場合であっても、上記部材をボディから取り外す等の必要がないので、ホルダの交換が容易である。
【００１２】
【発明の実施の形態】
図１ないし図３は本発明の第１実施例を示し、図１に概略を示す適宜の流体圧機器のボディ１１は、外周面に長手方向に貫通する複数のスイッチ取付溝１２，・・を備え、アルミニウム合金の押出し成形によって一体に形成されており、長手方向の両側にカバー１９，１９が、図示を省略している適宜の手段によって取付けられている。
上記スイッチ取付溝１２は、ボディ１１の外周面に開口する開口１２ａと、その側壁に形成された開口１２ａより幅が広い係止部１２ｂ，１２ｂとを備え、開口１２ａの幅は位置検出スイッチ１３の幅よりも広くされている。
【００１３】
上記位置検出スイッチ１３は、幅方向の両側に係止肩部１３ａ，１３ａが、長手方向の一端に取付ねじ１７を螺合するための貫通するねじ孔１３ｂがそれぞれ形成されており、スイッチ取付溝１２の溝底と対向する面は該溝底とほぼ同形状とされている。
図示の例における位置検出スイッチ１３は、流体圧シリンダのピストンに設けた磁石（いずれも図示省略）の接近によって信号を出力する磁気形近接センサ、または高周波発信形近接センサとして構成されており、位置検出スイッチ１３の出力信号はリード線１８によって所望の箇所に伝達される。
【００１４】
位置検出スイッチ１３をスイッチ取付溝１２に固定するためのホルダ１４は、図２及び図３に詳細を示すように、一対の取付部材１５，１５と、スイッチ取付溝１２の開口１２ａより狭い幅を有し上記取付部材の一端を連結する連結部材１６とを備え、柔軟性を有する合成樹脂で一体に形成されている。したがって、取付部材１５，１５は弾性変形可能である。
上記取付部材１５は、対向する内面に位置検出スイッチ１３の係止肩部１３ａに係止するスイッチ係止部１５ａが、背向する外面にスイッチ取付溝１２の係止段部１２ｂに係止する溝係止部１５ｂと、その下方の下すぼまりのテーパ面１５ｃがそれぞれ形成されており、テーパ面１５ｃ，１５ｃの先端間の幅は、スイッチ取付溝１２の開口１２ａの幅より若干狭くされている。また、連結部材１６には、取付ねじ１７が通る貫通孔１６ａが形成されている。
【００１５】
上記第１実施例は、スイッチ取付溝１２の開口１２ａに、ホルダ１４の取付部材１５，１５の先端を当接して押圧すると、弾性により取付部材相互の幅が狭くなってスイッチ取付溝１２内に押し入れられ、開口１２ａを通ると元の状態に復元して溝係止部１５ｂ，１５ｂがスイッチ取付溝１２の係止部１２ｂ，１２ｂに対向するので、ホルダ１４がスイッチ取付溝１２に抜け出し不能でかつ該取付溝に沿って移動可能に装着される。
この場合、ホルダ１４を柔軟性を有する合成樹脂で形成したことと、テーパ面１５ｃ，１５ｃの先端間の幅をスイッチ取付溝１２の開口１２ａの幅より若干狭くしたこととによって、ホルダ１４のスイッチ取付溝１２への押し入れは極めて容易である。
【００１６】
位置検出スイッチ１３は、開口１２ａからスイッチ取付溝１２内に挿入して、係止肩部１３ａを取付部材１５のスイッチ係止部１５ａに対向させるとともに貫通孔１６ａとねじ孔１３ｂとを一致させる。
この状態で、これらをスイッチ取付溝１２の所望の位置に移動させ、開口１２ａ及び貫通孔１６ａを通して取付ねじ１７をねじ孔１３ｂに螺合すると、取付ねじ１７の先端がスイッチ取付溝１２の溝底を押圧するので、位置検出スイッチ１３の係止肩部１３ａ，１３ａと取付部材１５のスイッチ係止部１５ａ，１５ａ、及び取付部材１５の溝係止部１５ｂ，１５ｂとスイッチ取付溝１２の係止部１２ｂ，１２ｂが係止して、位置検出スイッチ１３がスイッチ取付溝１２に固定される。
【００１７】
上記第１実施例は、スイッチ取付溝１２の長手方向の開口がカバー１９，１９等で閉鎖されていたり、長手方向に位置検出スイッチ１３の挿入スペースが確保できない場合であっても、上記カバー等を取り外すことなく、位置検出スイッチ１３及びホルダ１４をスイッチ取付溝１２に挿入することができる。
また、スイッチ取付溝１２にはホルダ１４を挿入するためのホルダ挿入部がないために、スイッチ取付溝１２をボディ１１の押出しによってボディとともに形成できるので、スイッチ取付溝１２の形成が容易であり、しかも位置検出スイッチ１３をスイッチ取付溝１２の全長の任意の位置に固定することができる。
【００１８】
メンテナンス等のために位置検出スイッチ１３をスイッチ取付溝１２から取出す場合は、取付ねじ１７を逆転してスイッチ取付溝１２の溝底の押圧を解除すると、係止肩部１３ａ，１３ａとスイッチ係止部１５ａ，１５ａの係止が解除され、また、取付ねじ１７を更に逆転して、取付ねじ１７を位置検出スイッチ３のねじ孔１３から取外すと、位置検出スイッチ１３をホルダ１４から抜き出すことができ、さらに開口１２ａを通してスイッチ取付溝１２から取出すことができる。したがって、位置検出スイッチ１３のメンテナンスが容易である。
位置検出スイッチ１３のメンテナンスの後は、上述の操作によってスイッチ取付溝１２の任意の位置に固定することができる。
【００１９】
ホルダ１４が破損した場合は、破損したホルダ１４をスイッチ取付溝１２の開口１２ａから取り出して、新たなホルダ１４を開口１２ａからスイッチ取付溝１２に押し入れることができる。したがって、ホルダ１４の交換が容易である。
【００２０】
図４及び図５は、上記スイッチ取付機構を流体圧シリンダ２０のボディ２１に設けた本発明の第２実施例を示し、ボディ２１は中心にシリンダ孔２１ａが、四周外面に長手方向に貫通する上記スイッチ取付溝１２，・・が、それぞれ押出し成形によって一体に形成されており、スイッチ取付溝１２の長手方向の開口は、シリンダカバー２２，２２によって閉鎖されている。そして、スイッチ取付溝１２に、位置検出スイッチ１３がホルダ１４によって取付けられている。
上記第２実施例の他の構成及び作用効果は第１実施例と同じであるから、詳細な説明は省略する。
【図面の簡単な説明】
【図１】第１実施例の分解斜視図である。
【図２】ホルダの拡大側面図である。
【図３】同じく拡大平面図である。
【図４】第２実施例の平面図である。
【図５】同じく断面図である。
【図６】既提案のスイッチ取付機構の分解斜視図である。
【符号の説明】
１１，２１  ボディ
１２    スイッチ取付溝
１２ａ  開口
１２ｂ  係止部
１３    位置検出スイッチ
１３ａ  係止肩部
１３ｂ  ねじ孔
１４    ホルダ
１５    取付部材
１５ａ  スイッチ係止部
１５ｂ  溝係止部
１５ｃ  テーパ面
１６    連結部材
１７    取付ねじ
【図１】
0003780052.tif 000002
【図２】
0003780052.tif 000003
【図３】
0003780052.tif 000004
【図４】
0003780052.tif 000005
【図５】
0003780052.tif 000006
【図６】
0003780052.tif 000007